(57)【特許請求の範囲】
【請求項１】
光ディスクにレーザ光を照射することでデータの読出し又は書込みを行う光ヘッド装置であって、
レーザ光を照射するレーザ光源と、透過するレーザ光を３ビーム化するグレーティングと、前記レーザ光を反射し該レーザ光の光路を屈曲させるミラーと、前記レーザ光を平行光にするコリメータレンズと、前記光ディスクで反射したレーザ光を受光し電気信号に変換する受光素子と、前記レーザ光源から出射されたレーザ光と、前記光ディスクで反射したレーザ光とを分光するビームスプリッタと、電力を供給するとともに信号を流すためのメイン基板とを有するスライドベースと、
前記スライドベースに取付固定されるアクトベースと、前記アクトベースに取り付けられ、磁界を形成する永久磁石と、前記光ディスクにレーザ光を照射する対物レンズと、前記対物レンズを保持し前記永久磁石にて形成される磁界内に配置されるレンズホルダと、前記レンズホルダを支持するための支持部と、前記支持部に固定されるとともに前記レンズホルダを弾性支持する３対のワイヤーばねと、前記レンズホルダを前記光ディスクのディスク面に対して垂直方向に動かすためのフォーカシングコイルと、ディスク面に平行な方向に移動するためのトラッキングコイルと、傾き方向に移動するためのチルトコイルと、前記支持部に取り付けられ、前記フォーカシングコイル、前記トラッキングコイル及び前記チルトコイルに前記ワイヤーばねを介して電力を供給するアクト基板とを有するアクチュエータとを具備し、
前記メイン基板は前記レーザ光源、前記受光素子及び前記アクト基板と接続しており、前記レーザ光源及び前記アクト基板に電力を供給するとともに、前記受光素子で変換された電気信号を流すものであり、
前記アクト基板は矩形状に形成された主要部と、前記ワイヤーばねと電気的に接続される一対の回り込み部と、前記主要部の側辺の中央部と前記回り込み部の側辺の中央部を連結する連結部と、前記主要部と前記メイン基板とを接続する接続部とを有し、前記主要部、回り込み部、連結部及び接続部は一体形成されており、前記主要部の背面全面、前記回り込み部の背面全面及び前記接続部の前記メイン基板と接触する部分とには補強基板が取り付けられており、
前記アクト基板は、前記回り込み部が前記支持部の側面に取付固定されており、前記主要部が前記支持部に固定されておらず、同じく前記支持部に固定されない前記連結部を介して前記回り込み部に支持されていることを特徴とする光ヘッド装置。
【請求項２】
光ディスクにレーザ光を照射することでデータの読出し又は書込みを行う光ヘッド装置であって、
レーザ光を照射するレーザ光源と、前記光ディスクで反射したレーザ光を受光し電気信号に変換する受光素子と、電力を供給するとともに信号を流すためのメイン基板とを有するスライドベースと、
前記スライドベースに取付固定されるアクトベースと、前記光ディスクにレーザ光を照射する対物レンズと、前記対物レンズを保持するレンズホルダと、前記レンズホルダを支持するための支持部と、前記支持部に固定されるとともに前記レンズホルダを弾性支持する複数対のワイヤーばねと、前記レンズホルダに取り付けられ、該レンズホルダを駆動するための１個又は複数個の駆動コイルと、前記支持部に取り付けられ、前記駆動コイルに前記ワイヤーばねを介して電力を供給するアクト基板とを有するアクチュエータとを具備し、
前記メイン基板は前記レーザ光源、前記受光素子及び前記アクト基板と接続しており、前記レーザ光源及び前記アクト基板に電力を供給するとともに、前記受光素子で変換された電気信号を流すものであり、
前記アクト基板は矩形状に形成された主要部と、前記ワイヤーばねと電気的に接続される一対の回り込み部と、前記主要部の側辺と前記回り込み部の側辺とを連結する連結部と、前記主要部と前記メイン基板とを接続する接続部とを有し、前記主要部、回り込み部、連結部及び接続部は一体形成されており、前記主要部の背面全面、前記回り込み部の背面全面及び前記接続部の前記メイン基板と接触する部分とには補強基板が取り付けられており、
前記アクト基板は、前記回り込み部が前記支持部の側面に取付固定されており、前記主要部が前記支持部に固定されておらず、同じく前記支持部に固定されない前記連結部を介して前記回り込み部に支持されていることを特徴とする光ヘッド装置。
【請求項３】
前記連結部は前記主要部の側辺の上側に形成されるものを有することを特徴とする請求項２に記載の光ヘッド装置
【請求項４】
前記連結部は前記主要部の両側辺に複数個ずつ備えられていることを特徴とする請求項２又は請求項３に記載の光ヘッド装置。
【請求項５】
前記連結部は前記主要部の両側辺に複数個ずつ備えられており、各連結部は前記接続部に近い方が長く形成されていることを特徴とする請求項４に記載の光ヘッド装置。
【発明の詳細な説明】
【技術分野】
【０００１】
本発明は、光ディスクにレーザ光を照射し該光ディスクに記録されているデータを読み
出したり、該光ディスクに書き込んだりする光ヘッド装置に関し、特に光ヘッドに備えら
れるアクチュエータに電力を供給するアクト基板に関するものである。
【背景技術】
【０００２】
近年、映像、音声又は情報の記録媒体として光を照射することで記録及び（又は）読出
しすることができる光ディスクを用いるものが多く用いられている。前記光ディスクとし
て、ＣＤ（Compact Disc）、ＤＶＤ（Digital Versatile Disc）等が広く用いられている
。これら光ディスクを記録媒体として該光ディスクにデータの記録及び（又は）読出しを
行う光ディスク装置は光ディスクの記録面に対しレーザ光を照射し、反射してきた光を検
出する光ヘッドを備えている。
【０００３】
図１に光ヘッドの配置図を示す。図１に示す光ヘッドはそれには限定されないがここで
は、光ディスクに記録されているデータを読出す読出し専用の光ヘッドである。図１に示
すようにレーザ光源Ｌｄと、レーザ光を３ビーム化するグレーティングＧｒと、ビームス
プリッタＢｓと、ミラーＭｒと、コリメータレンズＬｃと、対物レンズＬｂと、ハーフミ
ラーＨｍと、受光素子Ｐｄとを有している。
【０００４】
レーザ光源Ｌｄより照射されたレーザ光グレーティングＧｒにて３ビーム化され、ビー
ムスプリッタＢｓを透過した後、ミラーＭｒで反射されてコリメータレンズＬｃに入射す
る。コリメータレンズＬｃに入射したレーザ光は平行光として出射され対物レンズＬｂに
入射する。対物レンズＬｂに入射したレーザ光は集光され光ディスクＤｓの記録面にレー
ザスポットとして照射される。
【０００５】
このときレーザ光は光軸と光ディスクＤｓの記録層とが垂直になるようにレーザ光を照
射する。ビームスプリッタＢｓは入射されたレーザ光の半分を透過し半分を反射する光学
素子であり、光ディスクＤｓで反射した光を受光素子Ｐｄに導くものである。受光素子Ｐ
ｄは光を電流に変換するものであり、光の強さによってデータを読み取るものである。
【０００６】
図１１は従来の光ヘッドの平面図である。図１１に示す光ヘッドＢは、スライドベース
９１と、スライドベース９１に取付固定されるアクチュエータ９２と、スライドベース９
１に取付固定されるメイン基板Ｍｂと、アクチュエータ９２に取付固定されメイン基板Ｍ
ｂと電気的に接続されるアクト基板９３とを有している。
【０００７】
スライドベース９１には、レーザ光源Ｌｄ、ビームスプリッタＢｓ、ミラーＭｒ、コリ
メータレンズＬｃ及び受光素子Ｐｄが取り付けられており、アクチュエータ９２には対物
レンズＬｂが取り付けられている。
【０００８】
図１１に示すようにアクチュエータ９２はアクトベース９２１と、アクトベース９２１
より突出する支持部９２２と、対物レンズＬｂを保持するレンズホルダ９２３と、レンズ
ホルダ９２３を挟むように対向して配置される永久磁石９２４と、支持部９２２とレンズ
ホルダ９２３を連結しレンズホルダ９２３を弾性支持するワイヤーばね９２５と、支持部
９２２に取り付けられるアクト基板９３とを有している。
【０００９】
対物レンズＬｂには図示を省略したトラッキングコイルと、フォーカシングコイルと、
チルトコイルとが備えられており、それぞれ、永久磁石９２４を横切るように配置されて
いる。また、ワイヤーばね９２５はレンズホルダ９２３を弾性支持すると共に、トラッキ
ングコイル、フォーカシングコイル及びチルトコイルに電力を供給する。ワイヤーばね９
２５の一方の端部は支持部９２２の側部に固定される後述のアクト基板９３の回り込み部
９３２に、他方の端部はレンズホルダ９２３の側部に取付固定されている。
【００１０】
図１２は従来の光ヘッドに備えられるアクト基板の平面図である。アクト基板９３はそ
れには限定されないが、ここでは、ＦＰＣ（Flexible Print Circuit）であり、支持部９
２２に固定される主要部９３１と、主要部９３１と連設され、支持部９２２の側部に回り
込んで固定される回り込み部９３２と、主要部９３１と連設され、メイン基板Ｍｂと電気
的に接続する接続部９３３とを有している。
【００１１】
図１２に示すようにアクト基板９３は、主要部９３１及びその両端部に連設される回り
込み部９３２とが支持部９２２に固定されている。図１２に示すようにアクト基板９３の
主要部９３１は支持部９２２のレンズホルダ９２３と対向する面と反対側の面に取り付け
られている。また、接続部９３３の先端はスライドベース９１に取り付けられるメイン基
板Ｍｂに取り付けられ接着及びはんだ付けにて固定されている。
【００１２】
アクト基板９３には接続部９３３から主要部９３１を通って回り込み部９３２に延びる
配線が形成されている。また、回り込み部９３２に形成されている配線とワイヤーばね９
２５とが電気的に接続している。これにより、メイン基板Ｍｂ、アクト基板９３及びワイ
ヤーばね９２５とを介してフォーカスコイル、トラッキングコイル及びチルトコイルとに
電力を供給する。
【特許文献１】特開２００５−３８４９３号公報
【発明の開示】
【発明が解決しようとする課題】
【００１３】
アクト基板９３は主要部９３１及び回り込み部９３２が支持部９２２に固定されており
、接続部９３３がスライドベース９１に固定されたメイン基板Ｍｂに取付固定されている
。光ヘッドＢが光ディスクＤｓに正確にレーザ光が照射されるために光学部材の配置の精
度を高する必要がある。光学部材の配置の精度を高めるためには各光学部材単体の精度を
上げる必要がある。
【００１４】
しかしながら、各部材の製造時には製造誤差が生じてしまう。各部材の製造誤差が小さ
くても、組み立てると大きな誤差になる場合も多い。この場合、組み立てるときに、調整
することでレーザ光が正確に光ディスクに照射されるように組み立てる。詳しく説明する
と、スライドベース９１にアクトベース９２を取り付ける場合、スライドベース９１に配
置されるコリメータレンズＬｃとアクチュエータ９２に取り付けられた対物レンズＬｂと
の相対位置の精度が高くなるようにしている。
【００１５】
アクチュエータ９２は調整するときにフォーカスコイル、トラッキングコイル及びチル
トコイルに電力を供給しつつ調整するので、調整前にはアクト基板９３２が取りつけ固定
されている。
【００１６】
アクチュエータ９２を調整して配置する場合、アクト基板９３の主要部９３１及び回り
込み部９３２がアクチュエータ９２に、接続部９３３がメイン基板Ｍｂに取付固定されて
いるので、アクト基板９３は引っ張られて取り付けられる場合がある。
【００１７】
アクト基板９３が引っ張られると、配線が断線し、光ヘッドのトラッキング、フォーカ
シング、チルト制御が不十分で光ディスクに正しくレーザ光が照射されず、データの読出
し、記録の精度が低下する等の不具合が発生しやすい。
【００１８】
そこで本発明は、構成部材の部品精度を高めたり、新たな部材を追加したりすることな
く、アクチュエータをスライドベースに対して配置するときに、ＦＰＣ等からなるアクト
基板に無理な負荷がかからないようにし、円滑且つ精度良く動作する光ヘッドを提供する
ことを目的とする。
【００１９】
また本発明は、構成部材の部品精度を高めたり、新たな部材を追加したりすることなく
、アクチュエータをスライドベースに対して配置するときに、ＦＰＣ等からなるアクト基
板に無理な負荷がかからないようにし、組み立て時の作業性を高めることができ、それだ
け、組み立てに特殊技術、手間及び時間が必要なく製造コストを低減することができる光
ヘッドを提供することを目的とする。
【課題を解決するための手段】
【００２０】
上記目的を達成するために本発明は、光ディスクにレーザ光を照射することでデータの
読出し又は書込みを行う光ヘッド装置であって、レーザ光を照射するレーザ光源と、透過
するレーザ光を３ビーム化するグレーティングと、前記レーザ光を反射し該レーザ光の光
路を屈曲させるミラーと、前記レーザ光を平行光にするコリメータレンズと、前記光ディ
スクで反射したレーザ光を受光し電気信号に変換する受光素子と、前記レーザ光源から出
射されたレーザ光と、前記光ディスクで反射したレーザ光とを分光するビームスプリッタ
と、電力を供給するとともに信号を流すためのメイン基板とを有するスライドベースと、
前記スライドベースに取付固定されるアクトベースと、前記アクトベースに取り付けられ
、磁界を形成する永久磁石と、前記光ディスクにレーザ光を照射する対物レンズと、前記
対物レンズを保持し前記永久磁石にて形成される磁界内に配置されるレンズホルダと、前
記レンズホルダを支持するための支持部と、前記支持部に固定されるとともに前記レンズ
ホルダを弾性支持する３対のワイヤーばねと、前記レンズホルダを前記光ディスクのディ
スク面に対して垂直方向に動かすためのフォーカシングコイルと、ディスク面に平行な方
向に移動するためのトラッキングコイルと、傾き方向に移動するためのチルトコイルと、
前記支持部に取り付けられ、前記フォーカシングコイル、前記トラッキングコイル及び前
記チルトコイルに前記ワイヤーばねを介して電力を供給するアクト基板とを有するアクチ
ュエータとを具備し、前記メイン基板は前記レーザ光源、前記受光素子及び前記アクト基
板と接続しており、前記レーザ光源及び前記アクト基板に電力を供給するとともに、前記
受光素子で変換された電気信号を流すものであり、前記アクト基板は矩形状に形成された
主要部と、前記支持部に固定され、前記ワイヤーばねと電気的に接続される一対の回り込
み部と、前記主要部の側辺の中央部と前記回り込み部の側辺の中央部を連結する連結部と
、前記主要部と前記メイン基板とを接続する接続部とを有し、前記主要部、回り込み部、
連結部及び接続部は一体形成されており、前記主要部の背面全面、前記回り込み部の背面
全面及び前記接続部の前記メイン基板と接触する部分とには補強基板が取り付けられ、前
記連結部は前記アクト基板が前記支持部に固定されたときに、弛むことを特徴とする。
【００２１】
この構成によると、前記連結部が変形自在に形成されており、弛んで配置されるので、
前記スライドベースに前記アクチュエータを取り付けるときに、前記アクチュエータと前
記スライドベースの製造誤差を調整するときのずれを、前記アクト基板の前記連結部が変
形することで対応することができる。
【００２２】
これにより、前記アクト基板の破損や、断線等の不具合の発生を抑制することができ、
光ヘッド装置の動作精度を長期にわたって維持することができる。
【００２３】
また、前記連結部が細く形成されているので、変形がねじりの場合であっても、変形量
が少なく、無駄な力がかからない。これにより、前記アクチュエータを前記スライドベー
スに取り付けるときの調整範囲が大きくなる。このことは、前記アクチュエータを細かく
調整することができるとともに、前記スライドベース及びアクチュエータの部品精度、組
立精度の許容範囲を拡げることができ、歩留まりを上げることができるので、光ヘッドの
製造コストを低減することができる。
【００２４】
また本発明は光ディスクにレーザ光を照射することでデータの読出し又は書込みを行う
光ヘッド装置であって、レーザ光を照射するレーザ光源と、前記光ディスクで反射したレ
ーザ光を受光し電気信号に変換する受光素子と、電力を供給するとともに信号を流すため
のメイン基板とを有するスライドベースと、前記スライドベースに取付固定されるアクト
ベースと、前記光ディスクにレーザ光を照射する対物レンズと、前記対物レンズを保持す
るレンズホルダと、前記レンズホルダを支持するための支持部と、前記支持部に固定され
るとともに前記レンズホルダを弾性支持する複数対のワイヤーばねと、前記レンズホルダ
に取り付けられ、該レンズホルダを駆動するための１個又は複数個の駆動コイルと、前記
支持部に取り付けられ、前記駆動コイルに前記ワイヤーばねを介して電力を供給するアク
ト基板とを有するアクチュエータとを具備し、前記メイン基板は前記レーザ光源、前記受
光素子及び前記アクト基板と接続しており、前記レーザ光源及び前記アクト基板に電力を
供給するとともに、前記受光素子で変換された電気信号を流すものであり、前記アクト基
板は矩形状に形成された主要部と、前記支持部に固定され、前記ワイヤーばねと電気的に
接続される一対の回り込み部と、前記主要部の側辺と前記回り込み部の側辺とを連結する
連結部と、前記主要部と前記メイン基板とを接続する接続部とを有し、前記主要部、回り
込み部、連結部及び接続部は一体形成されており、前記主要部の背面全面、前記回り込み
部の背面全面及び前記接続部の前記メイン基板と接触する部分とには補強基板が取り付け
られ、前記連結部は前記アクト基板が前記支持部に固定されたときに、弛むことを特徴と
する。
【００２５】
この構成によると、前記連結部が変形自在に形成されており、弛んで配置されるので、
前記スライドベースに前記アクチュエータを取り付けるときに、前記アクチュエータと前
記スライドベースの製造誤差を調整するときのずれを、前記アクト基板の前記連結部が変
形することで対応することができる。
【００２６】
これにより、前記アクト基板の破損や、断線等の不具合の発生を抑制することができ、
光ヘッド装置の動作精度を長期にわたって維持することができる。
【００２７】
また、前記連結部が細く形成されているので、変形がねじりの場合であっても、変形量
が少なく、無駄な力がかからない。これにより、前記アクチュエータを前記スライドベー
スに取り付けるときの調整範囲が大きくなる。このことは、前記アクチュエータを細かく
調整することができるとともに、前記スライドベース及びアクチュエータの部品精度、組
立精度の許容範囲を拡げることができ、歩留まりを上げることができるので、光ヘッドの
製造コストを低減することができる。
【００２８】
上記構成において前記連結部は前記主要部の側辺の上側に形成されるものであってもよ
く、前記主要部の両側辺に複数個ずつ備えられているものであってもよい。前記連結部が
前記主要部の両側辺に複数個ずつ備えられているもの場合、各連結部は前記接続部に近い
方が長く形成してもよい。
【発明の効果】
【００２９】
本発明によると、構成部材の部品精度を高めたり、新たな部材を追加したりすることな
く、アクチュエータをスライドベースに対して配置するときに、ＦＰＣ等からなるアクト
基板に無理な負荷がかからないようにし、円滑且つ精度良く動作する光ヘッドを提供する
ことができる。
【００３０】
また本発明によると、構成部材の部品精度を高めたり、新たな部材を追加したりするこ
となく、アクチュエータをスライドベースに対して配置するときに、ＦＰＣ等からなるア
クト基板に無理な負荷がかからないようにし、組み立て時の作業性を高めることができ、
それだけ、組み立てに特殊技術、手間及び時間が必要なく製造コストを低減することがで
きる。
【発明を実施するための最良の形態】
【００３１】
以下に本発明の実施形態を図面を参照して説明する。図１に光ヘッドの配置図を、図２
に図１に示す光ヘッドの平面図を、図３に図２に示す光ヘッドの側断面図を示す。図１、
２、３に示す光ヘッドはそれには限定されないがここでは、光ディスクに記録されている
データを読出す読出し専用の光ヘッドである。
【００３２】
図１に示すように光ヘッドＡはレーザ光源Ｌｄと、レーザ光を３ビーム化するグレーテ
ィングＧｒと、ミラーＭｒと、コリメータレンズＬｃと、対物レンズＬｂと、ビームスプ
リッタＢｓと、受光素子Ｐｄとを有している。
【００３３】
レーザ光源Ｌｄより照射されたレーザ光グレーティングＧｒにて３ビーム化され、ビー
ムスプリッタＢｓを透過した後、ミラーＭｒで反射されてコリメータレンズＬｃに入射す
る。コリメータレンズＬｃに入射したレーザ光は平行光として出射され対物レンズＬｂに
入射する。対物レンズＬｂに入射したレーザ光は集光され光ディスクＤｓの記録面にレー
ザスポットとして照射される。
【００３４】
このときレーザ光は光軸と光ディスクＤｓの記録層とが垂直になるようにレーザ光を照
射する。ビームスプリッタＢｓは入射されたレーザ光の半分を透過し半分を反射する光学
素子であり、光ディスクＤｓで反射した光を受光素子Ｐｄに導くものである。受光素子Ｐ
ｄは光を電流に変換するものであり、光の強さによってデータを読み取るものである。ま
た、光ヘッドの光学素子は必ずしも上記の配置である必要はなく、必要であれば、可能な
範囲でレーザ光が入射する順序を入れ替えることができる。
【００３５】
図２、３に示すように光ヘッドＡはスライドベース１とアクチュエータ２とを有してお
り、スライドベース１には、レーザ光源Ｌｄ、グレーティングＧｒ、ビームスプリッタＢ
ｓ、ミラーＭｒ、コリメータレンズＬｃと、メイン基板Ｍｂが取り付けられ、対物レンズ
Ｌｂはアクチュエータ２に取り付けられる。
【００３６】
スライドベース１はアクチュエータ２を配置するためのアクチュエータ取付部１１と、
レーザ光源Ｌｄを取り付けるための光源取付部１２と、スライドベース１が摺動するとき
に摺動ガイドとなるガイド軸と摺動可能に係合するための摺動孔１３と、アクチュエータ
２の距離及び傾角を調整するときにアクチュエータ調整具４が貫通するためのアクチュエ
ータ調整孔１０とを備えている。
【００３７】
レーザ光源ＬｄはレーザホルダＬｈに圧入されている。レーザ光源Ｌｄが圧入されたレ
ーザホルダＬｈをスライドベース１の光源取付部１２に配置し、固定することでレーザ光
源Ｌｄをスライドベース１に取付固定することができる。レーザホルダＬｈはレーザ光源
Ｌｄのレーザ光出射部がスライドベース１の内側を向くように、すなわち、グレーティン
グＧｒに向けてレーザ光を出射するように取り付けられている。
【００３８】
グレーティングＧｒ、ビームスプリッタＢｓ、ミラーＭｒはスライドベース１内部に一
直線上に配置されている。ビームスプリッタＢｓの側面には受光素子Ｐｄが取り付けられ
ている（図２参照）。レーザ光源Ｌｄより照射されたレーザ光グレーティングＧｒにて３
ビーム化されビームスプリッタＢｓを透過しレーザ光はミラーＭｒで反射され、レーザ光
の進行方向は屈曲する。
【００３９】
ミラーＭｒにて屈曲したレーザ光の進行方向の先にはコリメータレンズＬｃが取り付け
られている。コリメータレンズＬｃは一部がスライドベース１の上面より突出して取り付
けられている。コリメータレンズＬｃはコリメータレンズＬｃを通過するレーザ光を平行
光にするものである。コリメータレンズＬｃを出射したレーザ光はアクチュエータ２に保
持された対物レンズＬｂに入射する。対物レンズＬｂに入射したレーザ光は集光され、レ
ーザスポットとして光ディスクＤｓの記録面の所定の位置に照射するように対物レンズＬ
ｂから出射する。
【００４０】
光ディスクＤｓに照射されたレーザ光は記録層で反射し、対物レンズＬｂ、コリメータ
レンズＬｃ、ミラーＭｒを通ってビームスプリッタＢｓに入射する。ビームスプリッタＢ
ｓは入射されたレーザ光の半分を透過し半分を反射するミラーであり、光ディスクＤｓで
反射した光の一部を受光素子Ｐｄに導くものである。受光素子Ｐｄは光を電気信号に変換
するものであり、その変換された電気信号の強さによってデータを読み取るものである。
【００４１】
このときレーザ光の光軸と光ディスクＤｓの記録層とが垂直になるようにレーザ光を照
射するものが好ましい。レーザ光の光軸と光ディスクＤｓの記録層とが垂直になることで
反射光が正確に光ヘッドに入射する。
【００４２】
図２、図３に示すように、アクチュエータ２はアクトベース２１と、対物レンズＬｂを
保持するレンズホルダ２２と、アクトベース２１に固定され、レンズホルダ２２を支持す
る支持部２３と、レンズホルダ２２と支持部２３を連結し、レンズホルダ２２に電力を供
給するとともに弾性支持するワイヤーばね２４と、ワイヤーばね２４に電力を供給するア
クト基板２５とを有している。
【００４３】
アクトベース２１は底部２１１と、底部２１１より突出する突出部２１２と、底部２１
１に形成されレンズホルダ２２を非接触に貫通するヨーク２１３と、スライドベース１に
形成されたアクチュエータ取付部１１と係合する取付孔２１０とを有している。突出部２
１２は対向する位置に２個形成されている。ヨーク２１３は２個の突出部２１２の間に突
出部２１２とは直交する方向に対向して２個形成されている。突出部２１２には永久磁石
２１４が配置されており、永久磁石２１４より発生する磁界がレンズホルダ２２に作用す
る。
【００４４】
レンズホルダ２２はレーザ光が透過するための貫通孔２２１が形成されており、貫通孔
を挟むようにヨーク２１３が挿入されるヨーク挿入用の孔２２２が形成されている。レン
ズホルダ２２の貫通孔２２１には対物レンズＬｂが固定されている。レンズホルダ２２に
はレンズホルダ２２を駆動しレンズホルダ２２に保持されている対物レンズＬｂと光ディ
スクＤｓとの距離を調整するフォーカシングコイル（図示省略）と、対物レンズＬｂを光
ディスクＤｓの半径方向に移動させるためのトラッキングコイル（図示省略）とを備えて
いる。
【００４５】
レンズホルダ２２はアクトベース２１のヨーク２１３がヨーク挿入用の孔を貫通するよ
うに配置される。このようにレンズホルダ２２を配置することで突出部２１２に配置され
た永久磁石２１４の磁界がレンズホルダ２２に作用する。アクトベース２１には支持部２
３が配置されており、レンズホルダ２２は弾性を有するワイヤーばね２４を介して支持部
２３に支持されている。レンズホルダ２２はアクトベース２１の底部２１１とは接触しな
いように支持されている。
【００４６】
アクチュエータ２はスライドベース１に接着剤にて固定される。アクトベース２１の取
付孔２１０はアクチュエータ２をスライドベース１に配置したときにスライドベース１の
アクチュエータ取付部１１に対応する場所に形成されており、アクチュエータ取付部１１
とアクトベース２１の取付孔２１０とを係合して接着剤にて接着し、組み立てられる。
【００４７】
図４は本発明にかかる光ヘッド装置に用いられるアクト基板の平面図である。アクト基
板２５はＦＰＣ（Flexible Print Circuit）で形成されており、図４に示すようにアクト
基板２５は主要部２５１と主要部２５１の両サイドに連設される回り込み部２５２と、主
要部２５１と回り込み部２５２とを連結する連結部２５３と、主要部２５１と接続する接
続部２５４とを有している。
【００４８】
主要部２５１及び回り込み部２５２はそれには限定されないがここでは、矩形で形成さ
れている。連結部２５３は主要部２５１と回り込み部２５２とを連結するものであり、主
要部２５１及び回り込み部２５２の幅（図４において上下方向の長さ）よりも小さい幅で
形成されている。回り込み部２５２はアクチュエータ２の支持部２３の側面に配置される
。主要部２５１、接続部２５４の先端及び回り込み部２５２には、裏面に補強基板が貼り
付けられている。補強基板が貼り付けられていることで位置決め、貼り付けは容易である
とともに、基板が反ったり、ねじれたりするのを抑制している。前記補強基板として、そ
れには限定されないが、ここでは、ガラスエポキシ基板を例示することができる。
【００４９】
図４に示すように主要部２５１と回り込み部２５２とは略同じ幅を有するように形成さ
れており、連結部２５３は主要部２５１の幅よりも小さく形成されているとともにガラス
エポキシ基板が貼り付けられていないので、主要部２５１と回り込み部２５２とが相対的
にねじれるように力が付勢しても主要部２５１及び回り込み部２５２自体はねじれず、そ
れよりも幅が小さく、裏面にガラスエポキシ基板が貼り付けられていない連結部２５３が
ねじれる。連結部２５３はねじれても幅が小さいので変形量が小さく、それゆえ、変形に
よる力が小さく、破損しにくい。
【００５０】
図５は本発明にかかる光ヘッドを組み立てる手順のフローチャートである。図５に示す
ように、まず、スライドベース１にレーザ光源Ｌｄ、グレーティングＧｒ，ビームスプリ
ッタＢｓ、コリメータレンズＬｃ、ミラーＭｒ、光学素子Ｐｄ等の光学部材とメイン基板
Ｍｂを取付固定し組み立てる（ステップＳ１）。アクトベース２１に対物レンズＬｂが取
り付けられたレンズホルダ２２、永久磁石２１４、ワイヤーばね２４、アクト基板２５等
を取り付け、アクチュエータ２を組み立てる（ステップＳ２）。
【００５１】
スライドシャーシ１のアクチュエータ調整孔１０からアクチュエータ調整治具（図示省
略）を貫通させ、アクチュエータ２をアクチュエータ調整治具で支持する（ステップＳ３
）。アクト基板２５の接続部２５４をメイン基板Ｍｂの接続部に貼付け、配線をはんだ付
けする（ステップＳ４）。レーザ光源Ｌｄよりレーザ光を出射し、調整用光ディスクにレ
ーザ光を照射し光ディスクにレーザ光が正しく照射されるように、アクチュエータ調整治
具を動かしアクチュエータ２の位置を調整する（ステップＳ５）。
【００５２】
アクチュエータ２の調整が終了した後に、スライドベース１にアクチュエータ２を取付
固定（ステップＳ６）し、アクチュエータ調整治具を外して（ステップＳ７）光ヘッドＡ
の組み立てを終了する。
【００５３】
図６はアクチュエータが設計どおりに配置される光ヘッドの平面図であり、図７はアク
チュエータがメイン基板より遠くに配置される光ヘッドの平面図であり、図８はアクチュ
エータがメイン基板より近くに配置される光ヘッドの平面図である。図６、７、８中に示
す一点鎖線Ｌ１はアクチュエータ２を配置するときの正規配置位置を示す基準線である。
ここで図中の上下方向は光ディスクの半径方向（Ｒａ方向）、図中左右方向は光ディスク
の周方向（Ｔａｎ方向）とする。
【００５４】
図６、７、８に示すように、アクト基板２５の回り込み部２５２はアクチュエータ２の支持部２２の側面に取付固定されている。それには限定されないが、ここでは接着剤にて接着されている。主要部２５１はアクチュエータ２の支持部２２に接着されていない。そして、主要部２５１は、同じくアクチュエータ２の支持部２２接着されていない連結部２５３を介して回り込み部２５２に支持されている。連結部２５３は回り込み部２５２を支持部２２に取付固定したときに緩むように配置されている。
【００５５】
図６に示す光ヘッドＡでは、アクチュエータ２の基準部Ｓｐが正規配置位置を示す基準線Ｌ１と重なるように配置されている。このとき、アクト基板２５の接続部２５４はメイン基板Ｍｂに取り付けられて、はんだ付けにてアクト基板２５の配線とメイン基板Ｍｂの配線が電気的に接続されている。このとき、連結部２５３は支持部２２に固定されていない。連結部２５３が支持部２２に固定されていないので、主要部２５１と直接連結している連結部２５３及び接続部２５４に張力がかからず、アクト基板２５自体の破損、アクト基板２５に形成されている電線の断線、接続部２５４のメイン基板Ｍｂからの剥離等の不具合の発生を抑制することができる。
【００５６】
図７に示す光ヘッドは、アクチュエータ２の基準部Ｓｐが正規配置位置を示す基準線Ｌ１に対してメイン基板Ｍｂから離れた位置に配置されたものである。このとき、回り込み部２５２は支持部２２に固定されており、接続部２５４はメイン基板Ｍｂに接続固定されている。アクチュエータ２がメイン基板Ｍｂから離れた位置に配置されており、主要部２５１が接続部２５４にメイン基板Ｍｂ側に引っ張られるが、主要部２５１及び連結部２５３が支持部２２に固定されていないので、主要部２５１と連結部２５３がメイン基板Ｍｂ側に引っ張られて（図７参照）取り付けられる。
【００５７】
連結部２５３が支持部２２に固定されておらずゆとりがあるので、接続部２５４にあわせて主要部２５１がメイン基板Ｍｂの方向にずれても、連結部２５３は形状が変化するだけで引張力が発生しない。これにより、主要部２５１、連結部２５３及び接続部２５４に無理な力が負荷するのを抑制することができ、配線の断線や基板の破損等の不具合の発生を抑制することができる。
【００５８】
図８に示す光ヘッドは、アクチュエータ２の基準部Ｓｐが正規配置位置を示す基準線Ｌ１に対してメイン基板Ｍｂに近づいた位置に配置されたである。このとき、回り込み部２５２は支持部２２に固定されており、接続部２５４はメイン基板Ｍｂに接続固定されている。アクチュエータ２がメイン基板Ｍｂに近づいた位置に配置されており、主要部２５１と連結部２５３がメイン基板Ｍｂと反対側に押されて（図８参照）取り付けられる。
【００５９】
主要部２５１及び連結部２５３が支持部２２に固定されていないので、接続部２５４にあわせて主要部２５１がメイン基板Ｍｂと反対側にずれる。このとき、連結部２５３は形状が変化するだけで引張力が発生しない。これにより、接続部２５４が主要部２５１に押され、折れ曲がったり、メイン基板Ｍｂから剥離したりすることで生じる、配線の断線や基板の破損等の不具合の発生を抑制することができる。
【００６０】
図９は本発明にかかる光ヘッドに用いられるアクト基板の他の例の概略図である。図９
に示すアクト基板２５Ｂは、連結部２５５が異なる以外は図４に示すアクト基板２と同じ
形状を有しており、実質上同じ部分には同一の符号が付してある。図９に示すようにアク
ト基板２５Ｂの連結部２５５は上端側、換言すると、接続部２５４から離れた部分で主要
部２５１と回り込み部２５２とを連結している。このように、接続部２５４から離れた部
分で接続していることで、接続部２５４が移動しても連結部２５５のねじれ角を小さくす
ることができ、それだけ、破損を抑制することができる。
【００６１】
図１０は本発明にかかる光ヘッドに用いられるアクト基板のさらに他の例の概略図であ
る。アクト基板２５Ｃは連結部２５６が異なる以外は図４に示すアクト基板２５と同じ形
状を有しており、実質上同じ部分には同一の符号が付してある。図１０に示すアクト基板
２５Ｃは片側の回り込み部２５２と主要部２５１とが２個の連結部２５６で連結されてい
る。このように連結部２５６を２個備えている場合、電線の取り回しの自由度が高くなる
。
【００６２】
また、接続部２５４に近い方を長くする等のように、連結部２５６の長さを適切に設定
することで、ねじれにも対応することができる。ここで、図１０に示すアクト基板２５Ｃ
では連結部２５６が２個のものを示しているが、それに限定されるものではなく、主要部
２５１、回り込み部２５２、接続部２５４及び連結部２５６とに無用の負荷がかかるのを
防ぐことができる個数のものを広く採用することができる。
【００６３】
上記実施例ではＲａ方向にアクチュエータがずれるものを例に説明しているが、Ｔａｎ
方向にずれた場合、連結部がねじれることで取り付けることができるので、連結部では捩
り方向に変形する場合も変形量が小さくてすむので、無理な負荷がかかるのを防ぐことが
でき、破損、断線等の不具合が発生するのを防ぐことができる。以上のことより、アクチ
ュエータを調整するときにＲａ方向、Ｔａｎ方向両方に移動しても、アクト基板にかかる
負荷を低減することができ、それだけ、調整しろが大きくなり、光ヘッド装置の精度を挙
げることが可能である。
【産業上の利用可能性】
【００６４】
本発明の光ヘッド装置は、ＤＶＤ、ＣＤ等の光ディスクを記録媒体とする光ディスク装
置において適用することができる。
【図面の簡単な説明】
【００６５】
【図１】光ヘッドの配置図である。
【図２】図１に示す光ヘッドの平面図である。
【図３】図２に示す光ヘッドの側断面図である。
【図４】本発明にかかる光ヘッド装置に用いられるアクト基板の平面図である。
【図５】本発明にかかる光ヘッドを組み立てる手順のフローチャートである。
【図６】アクチュエータが設計どおりに配置される光ヘッドの平面図である。
【図７】アクチュエータがメイン基板より遠くに配置される光ヘッドの平面図である。
【図８】アクチュエータがメイン基板より近くに配置される光ヘッドの平面図である。
【図９】本発明にかかる光ヘッドに用いられるアクト基板の他の例の概略図である。
【図１０】本発明にかかる光ヘッドに用いられるアクト基板のさらに他の例の概略図である。
【図１１】従来の光ヘッドの平面図である。
【図１２】従来の光ヘッドに備えられるアクト基板の平面図である。
【符号の説明】
【００６６】
Ａ  光ヘッド
Ｌｄ  レーザ光源
Ｌｈ  レーザホルダ
Ｇｒ  グレーティング
Ｂｓ  ビームスプリッタ
Ｍｒ  ミラー
Ｌｃ  コリメータレンズ
Ｌｂ  対物レンズ
Ｐｄ  受光素子
Ｍｂ  メイン基板
１  スライドベース
１０  アクチュエータ調整孔
１１  アクチュエータ取付部
１２  光源取付部
１３  摺動孔
２  アクチュエータ
２１  アクトベース
２１０  取付孔
２１１  底部
２１２  突出部
２１３  ヨーク
２１４  永久磁石
２２  レンズホルダ
２２１  貫通孔
２２２  ヨーク挿入用孔
２３  支持部材
２４  ワイヤーばね
２５  アクト基板
２５１  主要部
２５２  回り込み部
２５３  連結部
２５４  接続部
【図１】
0004720365.tif 000002
【図２】
0004720365.tif 000003
【図３】
0004720365.tif 000004
【図４】
0004720365.tif 000005
【図５】
0004720365.tif 000006
【図６】
0004720365.tif 000007
【図７】
0004720365.tif 000008
【図８】
0004720365.tif 000009
【図９】
0004720365.tif 000010
【図１０】
0004720365.tif 000011
【図１１】
0004720365.tif 000012
【図１２】
0004720365.tif 000013